(57)【要約】【課題】表側と裏側に情報の異なる表示をして裏返して表示でき、且つ上方部が角張ることなく安全な工事用看板を提供する。【解決手段】工事に関する異なる情報を表示した二つの表示板１，１Ａと、表示板の周囲を囲むように形成した枠体２と、該枠体を支持するようにした脚体３とからなり、前記表示板１，１Ａが、枠体２に手回し付き螺子軸４，４と軸受５，５により回動可能に枢軸されると共に、表示板１，１Ａを定位置で止めるためのストッパー部６，６が具備されてなる工事用看板であり、表示板１，１Ａはフレーム７の表側と裏側に付設され、上端部が円弧状に丸く形成されると共に、周囲を囲む枠体２の上端部も円弧状に丸く形成する。【選択図】図１
0003128649.tif 000002
【実用新案登録請求の範囲】
【請求項１】
工事に関する異なる情報を表示した二つの表示板と、表示板の周囲を囲むように形成した枠体と、該枠体を支持するようにした脚体とからなり、前記表示板が、枠体に回動可能に枢軸されると共に、表示板を定位置で止めるストッパー部が具備されてなることを特徴とする工事用看板。
【請求項２】
表示板を付設したフレームの上端と下端の略中心部に軸受を設け、該軸受に、回動可能に嵌合する軸部を設けた手回し付き螺子軸が、枠体の上下枠の略中心部に螺合されてなることを特徴とする請求項１記載の工事用看板。
【請求項３】
表示板と、該表示板の周囲を囲むように形成された枠体の上端部が、円弧状に丸く形成されてなることを特徴とする請求項１又は請求項２記載の工事用看板。
【請求項４】
枠体を支持するようにした脚体が、水平脚と略垂直脚の略Ｔ字状に形成されて枠体の下端部に着脱可能に装着されてなることを特徴とする請求項１〜請求項３のいずれか１項に記載の工事用看板。
【考案の詳細な説明】
【技術分野】
【０００１】
本考案は、道路の補修工事及び水道、ガス、電気、電話工事等に使用される工事用看板に関するものである。
【背景技術】
【０００２】
道路の補修工事及び水道、ガス、電気、電話工事等に使用される工事用看板は、工事に関する文字や図形等の情報が表示される薄鋼板製の表示板を、接地面に脚立てするための脚体を備えたフレームに取付けて使用されているのが一般的である。そして、その表示板は矩形状に形成されてフレームの表側面のみに螺子（ビス）等で取付けられているのが一般的である。
【０００３】
又、道路工事等に使用される看板で、上端部にロール状の巻取機構を設けて、看板の板体に表示された文字や図形とは異なる表示をしたシートを引き出して前記板体の表示面を覆うようにすることにより表示内容が増やせるようにした工事用看板（特許文献１参照）や、矩形に形成され、工事に関する情報が表示された表示板と、表示板が付設されるフレーム及び該フレームを接地面に立設する脚体を有したスタンドとを備え、前記フレームを、前記表示板の左右の側辺が夫々スライド可能に挿通される左右一対のガイドフレームと、該ガイドフレーム間に架設され、表示板の下辺を支持する支持フレームとを備えて構成し、表示板をフレームに着脱自在にすることにより表示の選択作業や搬送を容易にし、設置作業性を向上させると共に、表示板の交換作業性を向上させ、非使用時の収納性も向上させる工事用看板（特許文献２参照）が開示されている。
【０００４】
【特許文献１】特開２００１−５６６４５号公報
【特許文献２】実用新案登録第３１１０５１５号公報
【考案の開示】
【考案が解決しようとする課題】
【０００５】
しかしながら、上記背景技術における従来の工事用看板は矩形状に形成されていて、工事に関する文字や図形等の情報を表示する表示板が薄板鋼板であるため、上端角部に手が触れたりすると怪我するおそれがあること、及び表側面の表示だけで固定されているため異なる情報の表示板に取り替えるのが面倒であり、不便であるなどの問題点がある。
【０００６】
又、上記特許文献１に記載される技術は、表示内容を増やすことはできるが、上端部に巻取機構を必要とし、構成がシンプルにできない問題があり、特許文献２に記載される技術は、異なる情報の表示板の交換作業性は良いが、表示板がフレームに固定されないため、挿入口を下方にするとガイドフレームから逸脱するおそれがあるなどの問題点がある。
【課題を解決するための手段】
【０００７】
本考案は、上記問題点に鑑みてなされた工事用看板を提供しようとするものであり、その解決するための手段は、工事に関する異なる情報を表示した二つの表示板と、表示板の周囲を囲むように形成した枠体と、該枠体を支持するようにした脚体とからなり、前記表示板が、枠体に回動可能に枢軸されると共に、表示板を定位置で止めるストッパー部が具備されてなることを特徴とする。枠体で表示板の周囲を囲むようにすることにより、薄鋼板に手が直接触れることなく安全であり、表示板が枠体に回動可能に枢軸されることにより、表示板を取付けたフレームの表側面と裏側面が変えられ、定位置で止めるストッパー部によりしっかりと止めた状態で表示できる。
【０００８】
前記表示板を枠体に回動可能に枢軸する手段は、表示板を付設したフレームの上端と下端の略中心部に軸受を設け、該軸受に、回動可能に嵌合する軸部を設けた手回し付き螺子軸が、枠体の上下枠の略中心部に螺合されてなることを特徴とする。
又、前記表示板と、表示板の周囲を囲むように形成された枠体の上端部が、円弧状に丸く形成されてなることを特徴とする。上端部を円弧状に丸くすることにより、角がぶつかることなく、より安全であり、角張らずスマートな形状となる。
【０００９】
更に、前記枠体を支持するようにした脚体が、水平脚と略垂直脚の略Ｔ字状に形成されて枠体の下端部に着脱可能に装着されてなることを特徴とする。枠体を支持するようにした脚体は、斜めに傾斜させて表示しない場合は、水平脚と略垂直脚の略Ｔ字状にしても良く、この場合は枠体の下端部に着脱可能に装着されるのが、収納上好ましく、看板の重心の位置が低い（背高の低い）のに適用するのが好ましい。
【考案の効果】
【００１０】
上記手段にて記載するように本考案は、工事に関する異なる情報を表示した二つの表示板と、表示板の周囲を囲むように形成した枠体と、該枠体を支持するようにした脚体とからなり、前記表示板が、枠体に回動可能に枢軸されると共に、表示板を定位置で止めるストッパー部が具備された工事用看板であり、薄鋼板製の表示板は、周囲が枠体で囲まれ、且つ表示板と枠体の上端部は円弧状に丸く形成されているから、表示板の角で怪我するおそれがなく、安全である。
【００１１】
又、表示板が枠体に回動可能に枢軸されて、定位置で止めるストッパー部を具備することにより、異なる情報を表示した表示板を付設した表側面と裏側面が、表示板を取り外すことなく変えられると共に、表示板を定位置でしっかりと止めた状態で表示できるから、面倒でなく容易且つ迅速に行え、且つ表示板の逸脱のおそれもなく、強風等により表示板が回動することはない。
【考案を実施するための最良の形態】
【００１２】
本考案を実施するための最良の形態を、以下に示す実施例において、図面を参照して詳細に説明する。
【実施例１】
【００１３】
図１は、本考案の実施例を示す斜視図であり、図２は、その側断面図である。図１及び図２に示すように本考案は、工事に関する異なる情報を表示した二つの表示板１，１Ａと、表示板１，１Ａの周囲を囲むように形成した枠体２と、該枠体を支持するようにした脚体３とからなり、前記表示板１，１Ａが、枠体２に、該枠体に螺合された手回し付き螺子軸４，４と、表示板１，１Ａに取付けられた軸受５，５とにより回動可能に枢軸され、表示板１，１Ａを定位置で止めるためのストッパー部６が具備されている。
【００１４】
表示板１，１Ａは、０．３〜０．６ｍｍ程度の厚みを有する薄鋼板（ブリキ板）で、例えば図示するように表示板１は工事中の御協力に関するお願いといった文言と図柄を入れた情報を表示し、上方は円弧状に丸く形成して角張らないようにして、同一外形を有するフレーム７に、丸小螺子１ａ，１ａ，・・・により付設されており、フレーム７の裏側には前記表示板１と異なる情報を表示した表示板１Ａが丸小螺子１ａ，１ａ，・・・により付設されている。
【００１５】
前記フレーム７は、図３に示すように角鋼管により形成され、上端と下端の略中心部に軸受５，５が設けられ、表側と裏側には表示板１，１Ａを付設するための螺子孔１ｂ，１ｂ，・・・が穿設されており、側面にはストッパーで定位置に止めるための皿状の凹み７ａが設けてある。
なお、フレーム７は角鋼管に限定されるものではなく、丸鋼管やアルミ管、合成樹脂製の中空パイプでも可能である。角鋼管や丸鋼管及びアルミ管、合成樹脂製の中空パイプを使用するのは軽量化のためで、使用するに耐え得る充分な強度を必要とする。
【００１６】
前記フレーム７の裏側に付設する表示板１Ａは、表示板１と同一外形、同一厚みを有する薄鋼板ではあるが、表示板１と異なる情報、例えば図４に図示するように前記表示板１のお願いに対し、御協力ありがとうございましたといった様な文言を表示して付設する。表示板１，１Ａには、丸小螺子等で取付けて付設するための取付孔１ｃ，１ｃ，・・・が穿設されている。
【００１７】
そして、フレーム７の表側と裏側に、表示板１と表示板１Ａを付設した状態で、図１及び図２に示すように枠体２の上下枠の略中心部に螺合された手回し付き螺子軸４，４の軸部を、フレーム７の軸受５，５に嵌合させ、必要に応じて裏返し、ストッパー部６により定位置に止めた状態で表示する。枠体２の上方部も表示板１の上方部を囲むようにして円弧状に丸く形成されている。
【００１８】
脚体３は、枠体２の背部に、脚体３の上端部に設けたコ字状の支持ブラケット３Ａ，３Ａにより、枠体２の角鋼管を挟むようにして支持ピン３Ｂ，３Ｂで開閉できるように支持され、脚体３の開き加減により表側の表示板１の傾きを変えて見やすくすると共に、閉じることにより運搬や収納等の便宜が図られている。
【００１９】
又、表示板の傾きは、略垂直に固定されて表示されることもあり、その実施の形態は図５に示すとおりである。すなわち、表示板を付設するためのフレーム８の周囲を囲むように形成された枠体９，９Ａと、該枠体を支持するようにした脚体１０とからなり、図５の（ａ）に示すように枠体は逆Ｕ字状に形成された部分の枠体９と、左右の脚体１０を連結するように形成された部分の枠体９Ａとでフレーム８の周囲を囲んであり、フレーム８の上端と下端の略中心部に設けた軸受５，５に、枠体９，９Ａの略中心部に設けた手回し付き螺子軸４，４の軸部が嵌合されて回動可能に枢軸され、表示板を付設するためのフレーム８を定位置で止めるためのストッパー部６が具備されている。
【００２０】
前記脚体１０は、水平脚１０ａと略垂直脚１０ｂからなる略Ｔ字状に形成され、左右の脚体１０，１０を枠体９Ａで連結して、枠体９の下端部が着脱自在に嵌入するようにし、ストッパー６Ｂ，６Ｂで止めて装着されている。或いは、図５の（ｂ）に示すように枠体９の下方部に枠体９Ａを連結して、水平脚１０ａと略垂直脚１０ｂからなる略Ｔ字状の左右の脚体１０Ａ，１０Ａにそれぞれ着脱自在に嵌入し、ストッパー６Ｂ，６Ｂで止めて装着するようにしても良い。フレーム８には工事に関する情報を表示した表示板（図示せず）を取付けるための螺子孔を穿設したブロック片８ａ，８ａ，・・・が設けてある。略Ｔ字状に形成された脚体を着脱自在にして装着することにより、収納や運搬等の便宜が図られている。
【００２１】
図６は、図１及び図２における枠体２に手回し付き螺子軸４を螺合させるためのナット４Ａの取付例を示す要部断面図である。枠体２が角鋼管等で形成される場合は充分な螺子加工が困難であるから、充分な螺子加工が施されたナット４Ａが溶接等により取付けられている。なお、ナット４ＡはＪＩＳ規格品（市販品）のナットを使用しても良い。
【００２２】
図７は、図１及び図２における表示板１，１Ａを付設したフレーム７の軸受取付例を示す要部断面図である。フレーム７が角鋼管等で形成される場合は、枠体２の手回し付き螺子軸４の軸部がスムーズに軸受されないので、軸受５を取付けるのが好ましい。なお、表示板１，１Ａを取付けるための丸小螺子１ａ，１ａ，・・・のフレーム７への螺子孔加工は、小螺子のためバーリングして螺子加工すれば可能である。
【００２３】
図８は、手回し付き螺子軸４の側面図である。手回し付き螺子軸として本実施例では蝶螺子（市販品）が使用されているがこれに限定するものではない。手回し部４ａがローレット加工されたつまみ部を有するものであっても良い。そして手回し部４ａの下方に前記枠体２に取付けられたナット４Ａの螺子孔に螺合させるべく螺子部４ｂを設け、その下方に軸部４ｃを設けて、該軸部４ｃが前記表示板を付設したフレーム７，８の軸受５，５に嵌合させて回動できるようにする。このようにすることにより、表示板１，１Ａを付設したフレーム７，８は、枠体２、枠体９，９Ａに回動可能に枢軸される。
なお、表示板１，１Ａは薄鋼板を使用することから剛性がなく、そのために剛性を有するフレーム７に付設するが、表示板１，１Ａに、リブを付けるなどして剛性をもたせれば、フレーム７を不用とすることもできる。
【００２４】
図９は、表示板１，１Ａを付設したフレーム７を定位置で止めるストッパー部６の要部断面図である。枠体２には螺子孔を有するナット６Ａが取付けられており、該ナット６Ａの螺子孔にストッパー６Ｂの雄螺子部が螺合せてあり、ストッパー６Ｂの手回し部を回して締め付けることにより、ストッパー６Ｂの先端が表示板１，１Ａを付設したフレームの凹み７ａに食い込んで矢印方向へ回動することなく、定位置にしっかりと止められる。
なお、ストッパー６Ｂは蝶螺子（市販品）が使用されているが、限定されるものではなくローレット状に加工されたつまみ部を有するストッパーでも良い。又、ナット６Ａは、ＪＩＳ規格品（市販品）を使用しても良い。
【図面の簡単な説明】
【００２５】
【図１】本考案の実施例を示す斜視図である。
【図２】図１の側断面図である。
【図３】表示板を付設するフレームの斜視図である。
【図４】表示板の表示例を示す斜視図である。
【図５】表示板を付設するフレームを枠体に枢軸した他の実施形態の斜視図である。
【図６】枠体に手回し螺子軸を螺合させるためのナットの取付例を示す要部断面図である。
【図７】表示板を付設したフレームへの軸受取付例を示す要部断面図である。
【図８】手回し付き螺子軸例を示す側面である。
【図９】ストッパー部の要部断面図である。
【符号の説明】
【００２６】
１，１Ａ  表示板
１ａ  丸小螺子
１ｂ  螺子孔
１ｃ  取付孔
２，９，９Ａ  枠体
３，１０，１０Ａ  脚体
３Ａ  支持ブラケット
３Ｂ  支持ピン
４  手回し付き螺子軸
４Ａ，６Ａ  ナット
４ａ  手回し部
４ｂ  螺子部
４ｃ  軸部
５  軸受
６  ストッパー部
６Ｂ  ストッパー
７，８  フレーム
７ａ  凹み
８ａ  ブロック片
１０ａ  水平脚
１０ｂ  略垂直脚
【図１】
0003128649.tif 000003
【図２】
0003128649.tif 000004
【図３】
0003128649.tif 000005
【図４】
0003128649.tif 000006
【図５】
0003128649.tif 000007
【図６】
0003128649.tif 000008
【図７】
0003128649.tif 000009
【図８】
0003128649.tif 000010
【図９】
0003128649.tif 000011